(57)【要約】  袖部付きで、径方向に膨張可能であり、膨張状態では、副鼻腔もしくは鼻腔内に存在するための大きさおよび形状に作製された、通気性がある略管状の構造をもたらし、非膨張状態では、そのような腔内への挿入に適した断面直径を有する、ステント（１００）。該袖部は、膨張と、ステントによりかけられる外向きの圧力とを制限し、それにより、患者の頭痛の発生を防止するかまたは減少させることができ、すぐ近くの粘膜組織への薬剤溶出を向上させるための表面積の増大を実現することができる。【選択図】図１
2018528808.tif 000002
【特許請求の範囲】
【請求項１】
袖部付きで、径方向に膨張可能であり、膨張状態では、副鼻腔もしくは鼻腔内に存在するための大きさおよび形状に作製された通気性がある略管状の構造をもたらし、非膨張状態では、前記腔内への挿入に適した断面直径を有する、ステント。
【請求項２】
副鼻腔炎の治療において使用するためのステントであって、袖部付きで、径方向に膨張可能であり、膨張状態では、副鼻腔もしくは鼻腔内に存在するための大きさおよび形状に作製された通気性がある略管状の構造をもたらし、非膨張状態では、前記腔内への挿入に適した断面直径を有する、ステント。
【請求項３】
ａ）患者の体外で握持されるように構成された近位握持部と、
ｂ）遠位中空管状部であって、前記握持部を使用して操作されるように構成され、かつ前記中空管状部の内部に配設されているステントを患者の副鼻腔もしくは鼻腔内に挿入するための大きさに作製されている、遠位中空管状部と、
ｃ）前記中空管状部の内部での非膨張状態では、前記副鼻腔もしくは鼻腔内への挿入に適した断面直径を有して配設され、膨張状態では、前記腔内に存在するための大きさおよび形状に作製された通気性がある略管状の構造をもたらす、袖部付きの、径方向に膨張可能な１つまたは複数のステントと、
ｄ）前記挿入デバイスの内部に配設されており、かつ前記中空管状部から前記腔内へ前記ステントの１つまたは複数を送達するように構成された作動装置と
を含む、洞または鼻のステント挿入デバイス。
【請求項４】
ａ）
ｉ）患者の体外で握持されるように構成された近位握持部、
ｉｉ）遠位中空管状部であって、前記握持部を使用して操作されるように構成され、かつ前記中空管状部の内部に配設されているステントを患者の副鼻腔もしくは鼻腔内に挿入するための大きさに作製されている、遠位中空管状部、
ｉｉｉ）前記中空管状部の内部での非膨張状態では、前記副鼻腔もしくは鼻腔内への挿入に適した断面直径を有して配設され、膨張状態では、前記腔内に存在するための大きさおよび形状に作製された通気性がある略管状の構造をもたらす、袖部付きの径方向に膨張可能な１つまたは複数のステント、および
ｉｖ）前記挿入装置の内部に配設されており、かつ前記ステントの１つまたは複数を前記中空管状部から前記腔内へ送達するように構成された作動装置
を含む、洞または鼻のステント挿入装置を設けるステップと、
ｂ）前記握持部を操作して、遠位部をステント可能な副鼻腔もしくは鼻腔内へ前進させるステップと、
ｃ）前記作動装置を作動させて、前記ステントの１つまたは複数を前記中空管状部から前記ステント可能な副鼻腔もしくは鼻腔内へ送達するステップと
を含む、洞または鼻の治療のための方法。
【請求項５】
前記ステントは径方向に膨張可能な内側基礎ステントと、前記基礎ステントの少なくとも部分を取り巻き、抑制している外側スリーブとを含む、請求項１または２に記載のステント、請求項３に記載のデバイス、または請求項４に記載の方法。
【請求項６】
前記基礎ステントは生分解性である、請求項５に記載のステント、デバイス、または方法。
【請求項７】
前記袖部は生分解性である、請求項５に記載のステント、デバイス、または方法。
【請求項８】
前記基礎ステントまたは前記袖部はワイヤを含む、請求項５に記載のステント、デバイス、または方法。
【請求項９】
前記基礎ステントは、ジグザグ構造に曲げられているワイヤ輪を含む、請求項５に記載のステント、デバイス、または方法。
【請求項１０】
前記袖部は前記基礎ステントに固定されている、請求項５に記載のステント、デバイス、または方法。
【請求項１１】
前記袖部は、副鼻腔もしくは鼻腔内への設置後、前記基礎ステントにより引張状態に保持される、請求項５に記載のステント、デバイス、または方法。
【請求項１２】
前記袖部は、副鼻腔もしくは鼻腔内への設置の前後両方に、前記基礎ステントにより引張状態に保持される、請求項５に記載のステント、デバイス、または方法。
【請求項１３】
前記ステントおよび前記袖部は長円形の横断面を有する、請求項５に記載のステント、デバイス、または方法。
【請求項１４】
前記基礎ステントまたは前記袖部は、アクリロニトリル・ブタジエン・スチレン（ＡＢＳ）、ポリアクリル酸塩、ポリメタクリル酸、ナイロン、ポリオレフィン、ホスホリルコリン（ＰＣ）、ポリスチレン、ポリカーボネート、ポリエステル、ポリスルホン、ポリエーテルスルホン、ポリエーテル・ブロック・アミド、熱可塑性エラストマー、フッ素化ポリマー、またはシリコーンを含む、請求項５に記載のステント、デバイス、または方法。
【請求項１５】
前記基礎ステントまたは前記袖部は、ポリ乳酸（ＰＬＬＡ）、ポリ（乳酸−グリコール酸共重合体）（ＰＬＧＡ）、ポリグリコール酸、ポリカプロラクトン（ＰＣＬ）、分解性ポリエステル、ポリ無水物、ポリオルトエステル、分解性ポリカーボネート、分解性ポリアミド、ポリリン酸エステル、ポリホスファゼン、またはポリシアノアクリレートを含む、請求項５に記載のステント、デバイス、または方法。
【請求項１６】
前記基礎ステントまたは前記袖部は天然ポリマーを含む、請求項５に記載のステント、デバイス、または方法。
【請求項１７】
前記基礎ステントまたは前記袖部は多糖を含む、請求項５に記載のステント、デバイス、または方法。
【請求項１８】
前記基礎ステントは薬剤溶出性である、請求項５に記載のステント、デバイス、または方法。
【請求項１９】
前記袖部は薬剤溶出性である、請求項５に記載のステント、デバイス、または方法。
【請求項２０】
前記ステントは不均一な断面直径を有する、請求項５に記載のステント、デバイス、または方法。
【請求項２１】
前記ステントは生分解性である、請求項１から２０のいずれかに記載のステント、デバイス、または方法。
【請求項２２】
前記袖部は滑らかな表面を有する、請求項１から２１のいずれかに記載のステント、デバイス、または方法。
【請求項２３】
前記袖部は無孔表面を有する、請求項１から２２のいずれかに記載のステント、デバイス、または方法。
【請求項２４】
前記袖部は弾性である、請求項１から２３のいずれかに記載のステント、デバイス、または方法。
【請求項２５】
前記袖部は不織である、請求項１から２４のいずれかに記載のステント、デバイス、または方法。
【請求項２６】
前記袖部は連続薄膜を含む、請求項１から２５のいずれかに記載のステント、デバイス、または方法。
【請求項２７】
前記ステントは径方向に圧縮性であり、径方向に弾性である、請求項１から２６のいずれかに記載のステント、デバイス、または方法。
【請求項２８】
前記ステントは、径方向に圧縮されたとき、前記ステントが膨張させられておりかつ抑制されていないときと比べて、より小さい直径およびより大きい軸方向長さを有する、請求項１から２７のいずれかに記載のステント、デバイス、または方法。
【請求項２９】
前記ステントは薬剤溶出性である、請求項１から２８のいずれかに記載のステント、デバイス、または方法。
【請求項３０】
前記薬剤は、アンジオテンシン変換酵素（ＡＣＥ）阻害剤、アンジオテンシン受容体遮断薬（ＡＲＢ）、抗ヒスタミン剤、コルチコステロイド、非ステロイド性抗炎症薬、キマーゼ阻害剤、シクロオキシゲナーゼ−２（ＣＯＸ−２）阻害剤、充血除去剤、マトリクス・メタロプロテイナーゼ（ＭＭＰ）阻害剤、粘液溶解薬、オピオイド、治療的ポリマー、またはそれらの組合せを含む、請求項２９に記載のステント、デバイス、または方法。
【請求項３１】
前記薬剤は、ドキシサイクリン、ＴＩＭＰメタロペプチターゼ阻害剤１、またはデキサメタゾンを含む、請求項２９に記載のステント、デバイス、または方法。
【請求項３２】
前記薬剤はコルチコステロイドを含む、請求項２９に記載のステント、デバイス、または方法。
【請求項３３】
前記薬剤はフルチカゾンを含む、請求項２９に記載のステント、デバイス、または方法。
【請求項３４】
前記薬剤はモメタゾンを含む、請求項２９に記載のステント、デバイス、または方法。
【請求項３５】
前記薬剤はトリアムシノロンを含む、請求項２９に記載のステント、デバイス、または方法。
【請求項３６】
前記ステントは、袖部を含まないステントと比較して、患者の頭痛の発症を減少させる、請求項１から３５のいずれかに記載のステント、デバイス、または方法。
【請求項３７】
前記ステントは粘膜組織に接触する、請求項１から３６のいずれかに記載のステント、デバイス、または方法。
【請求項３８】
前記ステントは篩骨洞内に存在するための大きさに作製されている、請求項１から３７のいずれかに記載のステント、デバイス、または方法。
【請求項３９】
前記ステントは不均一な断面直径を有する、請求項１から３８のいずれかに記載のステント、デバイス、または方法。
【請求項４０】
無菌包装状態にある複数の異なる大きさに作製されている袖部をさらに含む、請求項１から３９のいずれかに記載のステント、デバイス、または方法。
【請求項４１】
無菌包装状態にある複数の袖部をさらに含み、前記袖部には様々な薬剤または様々な薬剤量が装填されている、請求項１から４０のいずれかに記載のステント、デバイス、または方法。
【請求項４２】
前記ステントは、薬剤が装填された円筒形の生分解性ポリマー袖部により取り巻かれ、抑制されている、径方向に膨張可能な生分解性ポリマー基礎ステントを含む、請求項１から４１のいずれかに記載のステント、デバイス、または方法。
【請求項４３】
前記基礎ステントは約１６ｍｍから２３ｍｍまでの非抑制直径を有し、前記袖部は約８ｍｍから約２２ｍｍまでの直径を有する、請求項４２に記載のステント、デバイス、または方法。
【請求項４４】
前記ステントは、中心ハブと複数の脚部とを有する、薬剤が装填された、径方向に膨張可能な、生分解性ポリマーの蜘蛛型の基礎ステントを含み、前記脚部は、円筒形の生分解性ポリマー袖部により少なくとも部分的に取り巻かれ、抑制されている、請求項１から４３のいずれかに記載のステント、デバイス、または方法。
【発明の詳細な説明】
【技術分野】
【０００１】
[0001]
関連出願の相互参照
本願は、その開示が本明細書に参照により援用されている、２０１５年８月２６日に出願された、「洞および鼻のステント（ＳＩＮＵＳ  ＡＮＤ  ＮＡＳＡＬ  ＳＴＥＮＴ）」という名称の米国仮特許出願第６２／２１０，２６７号の利益を主張するものである。
【０００２】
[0002]本発明は、埋込み可能なステントを使用する、洞および鼻の状態の治療に関する。
【背景技術】
【０００３】
[0003]副鼻腔炎は、洞の粘膜内層の炎症を特徴とする状態である。現在の療法は、炎症を軽減するコルチコステロイド治療と、炎症組織を除去する外科治療とを含む。術後、術後炎症を軽減するために、ステロイド治療が必要とされる可能性がある。ステロイドの従来の経口投与は、通常、効果的でない。これらの全身的に送達される薬剤の洞粘膜内への浸透は、該洞への不十分な血流により制限され可能性がある。また、スプレー、クリーム、ジェルなどの局所適用は、閉塞した口が原因となって、病に冒された洞に到達する程十分遠くまで移動するステロイドが不足することや、洞粘膜との接触が短く、結果としてステロイドの吸収が低くなるなどの要因により、効果がない可能性がある。洞内でのステロイドの局所送達に現在好適なデバイスが生分解性の薬剤溶出ステントである。しかし、そのようなステントが分解する時、それらは割れて小片になり、酸性の分解副生成物を生成し、洞組織への刺激を引き起こす可能性がある。後期の炎症または頭痛などの合併症により、ステントの除去が必要とされる場合、分解は、ステントを清潔に除去することを困難にする可能性がある。また、除去により、患者が外科医を再訪する不都合および出費を被ることが必要になる可能性がある。
【０００４】
[0004]いくつかの洞および鼻のステントの設計では、また、特にステントが薬剤溶出性特徴または生分解性特徴もまた実現しなければならない場合、圧縮寸法、膨張寸法、および膨張力の適正なバランスを実現することが困難である可能性がある。
【発明の概要】
【課題を解決するための手段】
【０００５】
[0005]本発明は、一態様において、袖部付きで、径方向に膨張可能であり、膨張状態では、副鼻腔もしくは鼻腔（ｓｉｎｕｓ  ｏｒ  ｎａｓａｌ  ｃａｖｉｔｙ  ｏｒ  ｐａｓｓａｇｅ）内に存在するための大きさおよび形状に作製された通気性がある略管状の構造をもたらし、非膨張状態では、そのような腔（ｃａｖｉｔｙ  ｏｒ  ｐａｓｓａｇｅ）内への挿入に適した断面直径を有する、ステントを提供する。該ステントは、通常、２つの要素、すなわち「基礎ステント」と呼ばれ得る、径方向に膨張可能な内側要素と、該基礎ステントの少なくとも部分を取り巻き、抑制している、「袖部」と呼ばれ得る外側要素とを含む。組み立てられると、これら２つの要素は「ステント」と呼ばれ得る。該基礎ステントおよび袖部は、そのような袖部を含まない、その他の点では類似した基礎ステントと比較して、患者の頭痛を引き起こす傾向が少ないことが望ましい。
【０００６】
[0006]本発明は、別の態様において、副鼻腔炎の治療において使用するためのステントを提供し、該ステントは、袖部付きで、径方向に膨張可能であり、膨張状態では、副鼻腔もしくは鼻腔内に存在するための大きさおよび形状に作製された通気性がある略管状の構造をもたらし、非膨張状態では、そのような腔内への挿入に適した断面直径を有する。
【０００７】
[0007]本発明は、さらに別の態様において、
ａ）患者の体外で握持されるように構成された近位握持部と、
ｂ）遠位中空管状部であって、握持部を使用して操作されるように構成され、かつ該中空管状部の内部に配設されているステントを患者の副鼻腔もしくは鼻腔内に挿入するための大きさに作製されている、遠位中空管状部と、
ｃ）中空管状部の内部での非膨張状態では、そのような副鼻腔もしくは鼻腔内への挿入に適した断面直径を有して配設され、膨張状態では、そのような腔内に存在するための大きさおよび形状に作製された通気性がある略管状の構造をもたらす、袖部付きの径方向に膨張可能な１つまたは複数のステントと、
ｄ）挿入装置の内部に配設されており、かつ中空管状部からそのような腔内へステントの１つまたは複数を送達するように構成された作動装置と
を含む、洞もしくは鼻のステントの挿入デバイスまたは挿入装置を提供する。
【０００８】
[0008]本発明は、さらに別の態様において、
ａ）
ｉ）患者の体外で握持されるように構成された近位握持部、
ｉｉ）遠位中空管状部であって、握持部を使用して操作されるように構成され、かつ中空管状部の内部に配設されているステントを患者の副鼻腔もしくは鼻腔内に挿入するための大きさに作製されている、遠位中空管状部、
ｉｉｉ）中空管状部の内部での非膨張状態では、そのような副鼻腔もしくは鼻腔内への挿入に適した断面直径を有して配設され、膨張状態では、そのような腔内に存在するための大きさおよび形状に作製された通気性がある略管状の構造をもたらす、袖部付きの径方向に膨張可能な１つまたは複数のステント、および
ｉｖ）挿入装置の内部に配設されており、かつステントの１つまたは複数を中空管状部からそのような腔内へ送達するように構成された作動装置
を含む、洞または鼻のステントの挿入装置を設けるステップと、
ｂ）握持部を操作して、遠位部をステント可能な（ｓｔｅｎｔａｂｌｅ）副鼻腔もしくは鼻腔内へ前進させるステップと、
ｃ）作動装置を作動させて、ステントの１つまたは複数を中空管状部からそのようなステント可能な副鼻腔もしくは鼻腔内へ送達するステップと
を含む、洞または鼻の治療のための方法を提供する。
【図面の簡単な説明】
【０００９】
【図１】[0009]袖部付きの、洞および鼻のステントの斜視図である。
【図２】[0010]別の、袖部付きの、洞および鼻のステントの斜視図である。
【図３】[0011]膨張非抑制構成にある、図２の基礎ステントの斜視図である。
【図４】[0012]図２の袖部の斜視図である。
【図５】[0013]別の基礎ステントの斜視図である。
【図６】[0014]基礎ステントまたは袖部の斜視図である。
【図７】[0015]別の基礎ステントの斜視図である。
【図８】[0016]別の袖部の斜視図である。
【図９】[0017]別の、袖部付きの、洞および鼻のステントの斜視図である。
【図１０】[0018]装填された挿入デバイスの平面図である。
【図１１】[0019]装填されていない挿入デバイス、ならびに袖部付きの、洞および鼻のステントの斜視図である。
【図１２】[0020]全体の袖部により取り巻かれている、図７の基礎ステントの側面断面図である。
【図１３】部分的な袖部により取り巻かれている、図７の基礎ステントの側面断面図である。
【図１４】[0021]付加的な、袖部付きの、洞および鼻のステントの斜視図である。
【図１５】[0022]長円形の、袖部付きの、洞および鼻のステントの端面図である。
【図１６】[0023]鉗子内に握持されている、袖部付きステントの斜視図である。
【図１７】[0024]バルーンにより膨張させられている、袖部付きステントの斜視図である。
【図１８】[0025]篩骨洞内の袖部付きステントの斜視図である。
【図１９】[0026]実施例７において評価されている薬剤溶出を示すグラフである。
【発明を実施するための形態】
【００１０】
[0027]図面の様々な図における同様の参照記号は同様の要素を示す。図面における要素は正確な縮尺ではない。
[0028]以下の詳細な説明はある実施形態を検討しており、限定の意味で用いられていない。本明細書における全ての重量、量、および比率が、特に断りのない限り、重量によるものである。
【００１１】
[0029]図１を参照すると、ステント１００が斜視図として示されており、ワイヤの長さをジグザグ構造に曲げかつ自由端を接続して円形輪を形成することにより形成されている略管状の構造を有する基礎ステント１１０を含む。袖部１２０が基礎ステント１１０を取り巻き、抑制しており、滑らかなもしくは滑らかでない表面仕上げの多孔質材または無孔材料であってもよい。袖部１２０が、基礎ステント１１０に沿って間隔を置いて分配されている縫合もしくは他のステッチ１３０などの様々な手段を用いて、基礎ステント１００に固定されていてもよいか、または設置後もしくは設置の前後両方に、基礎ステント１００により単に引張状態で保持されていてもよい。図１に示されている通り、基礎ステント１１０は袖部１２０により完全に覆われている。（図１に示されていない）別の実施形態では、基礎ステント１１０は、袖部１２０により部分的に覆われているだけである可能性がある。本明細書において開示されているステント１００およびその他の実施形態は、例えばヒトの成人、ヒトの小児、または獣医学（例えば、ウシ亜科の動物、ウマ、ヒツジ、ブタ、イヌ、もしくはネコ科の動物）患者の用途のために、様々な形状および大きさで形成されていてもよい。
【００１２】
[0030]ステント１００は径方向に膨張可能である。図１に示されている実施形態では、また、ステント１００は径方向に圧縮可能であり、径方向に弾性であるので、ステントは、その膨張状態からその非膨張状態へ繰返し変換されることが可能であり、基部ステント１１０を径方向に圧縮し、弛緩させることにより、または袖部１２０により画定されている略円筒形の形状を径方向に圧縮し、弛緩させることにより、戻ることができる。膨張状態にあるとき、ステント１００は、副鼻腔もしくは鼻腔を出入りする空気、呼気、粘液、もしくは他の流体の自由な通過を阻止することなく、副鼻腔または鼻腔内に存在するための大きさおよび形状に作製されている。ステント１００は、設置されておらずかつ抑制されていない場合にそのような腔の内部にぴったり合うような、またはそのような腔内に設置され、かつそれにより抑制されているときに若干圧縮されるような大きさおよび形状に作製されてもよい。設置の前に、ステント１００は、ステント１００の、そのような腔内への送達および挿入のための大きさおよび形状に作製されている、手持ち式のカニューレまたは挿入装置内への装填に適した直径まで、径方向に圧縮されることが望ましい。そのように圧縮されたとき、ステント１００は、通常、それが膨張しており、抑制されていないときに比べて、より小さい直径とより大きい軸方向長さとを有する。
【００１３】
[0031]副鼻腔もしくは鼻腔は「ステント可能」である。これにより、腔は、硬組織または軟組織により取り囲まれ、かつその形状もしくは大きさは増大され、維持され、縮小を防止されるかまたは阻止され、あるいは開示されているステントの挿入により閾値レベルより下への低下が少なくとも防止されるかもしくは阻止されることが可能である、開いた（すなわち、健康であれば、空気で満たされている）空間を有することが意図されている。そのようなステント可能な空間は、既存の空間、以前の外科的処置により拡大されたかもしくは修正された、作り出された空間、または前のステントにより拡大されたかもしくは修正された空間とすることができる。
【００１４】
[0032]以下により詳細に検討される通り、本明細書において開示されているステント１００およびその他の実施形態は、薬剤溶出性または非薬剤溶出性であってもよい。また、開示されているステントの構成要素は、個々にもしくは全て、生分解性（例えば、吸収性）または非生分解性であってもよい。例えば、基礎ステント１１０、袖部１２０、およびステッチ１３０が全て生分解性であってもよい。基礎ステント１１０および袖部１２０がどちらも生分解性である場合、基礎ステント１１０および袖部１２０は、袖部１２０が分解する時に基礎ステント１１０がすぐ近くの組織上で外向きの圧力の増大を引き起こさないような方法で、それぞれ分解することが好ましい。別の実施形態では、基礎ステント１１０は生分解性であってもよく、袖部１２０は非生分解性であってもよく、ステッチ１３０は生分解性または非生分解性であってもよい。さらに別の実施形態では、基礎ステント１１０、袖部１２０、およびステッチ１３０は全て非生分解性であってもよい。
【００１５】
[0033]本明細書において開示されているステント１００およびその他の実施形態は「通気性がある」。これは、頭蓋内圧の均等化を過度に制限することなく副鼻腔内での使用を可能にするように、または例えば、患者が座っているかまたは別の方法で安静にしている場合、低強度呼吸を過度に制限することなく鼻腔内での使用を可能にするように、ステントの中心軸に沿って（例えば、中空管状基礎ステントの中心軸に沿って）通過する空気または呼気に対する十分な透過性を有する細長いステントを指している。
【００１６】
[0034]開示されているステントは、そのようなステントを設置される可能性がある患者に関して、頭痛の発生の減少を助けることができる。例えば、袖部１２０が基礎ステント１１０の少なくとも一部を取り巻き、径方向に抑制するようにそれを構成することにより、基礎ステント１１０がその設置位置にある場合に基礎ステント１１０により隣接する組織にかけられる圧力は減衰されることが可能であり、ステント１００が頭痛を生じさせる傾向は、袖部１２０を有さない基礎ステント１１０から作製されているステントと比較して、影響を受け易い患者において低減され得るかまたはなくされ得る。
【００１７】
[0035]開示されている袖部はいくつかの付加的な利点をもたらすことができる。ステント挿入中、袖部は、ステントに、付加された軸方向の剛性を与えること、ならびにステントとステント送達デバイスおよび意図された移植部位に近接した組織表面との間の引っ掛かりまたは他の干渉を減少させることにより、外科医を補助することができる。その径方向に膨張した、送達された、または設置された状態では、開示されているステントおよび詳細には袖部の外面は当接してもたれることができ、それにより、袖部なしで使用された場合に内在する基礎ステントにより接触されるであろう場合に比べて、隣接した粘膜組織のより大きな（または、所望に応じて、いくつかの実施形態ではより小さい）表面との密接を実現することができる。袖部は、ステントの吸収性バージョンが自然に分解するかまたはステントの非吸収性バージョンが除去される時まで、ステントを定位置に維持するのを助けることができる。また、袖部は、薬剤装填のための付加された質量、ならびにステントの薬剤溶出バージョンにおける薬剤溶出のための付加された表面積および組織接触領域をもたらすことができる。また、ステントの後の除去時に断裂および粘膜の再出血が回避され得るように、設置された袖部、および該設置された袖部の特に選択された無孔実施形態は、癒着の発生を防止するかまたは阻止することができる。また、袖部は、基礎ステントの分解が起こる割合を減少させる可能性があり、それによりステントの生物断片の吸引またはくしゃみと共にそれを出すことを減少させ、１つまたは複数の無傷の片の状態での、治療部位からのステントの最終的な除去に役立つ。非吸収性ステントの意図的な除去または吸収性ステントの時期尚早の除去の間、また、袖部は、ステントを握持することおよび清潔に除去することにおいて、外科医を補助する。
【００１８】
[0036]前段で検討されている頭痛減少特徴および他の特徴は、身体の他の部分に使用される、典型的な袖部付きステント（例えば、心臓血管ステント）とは性質または程度が異なる。例えば、頭痛の防止が、袖部付きの心臓血管ステントでは問題ではない。袖部付きの心臓血管ステントは、通常、身体内に長期間（例えば、複数年）存在するために設計されているのに対して、開示されている、袖部付きの、洞または鼻のステント、および特にそのようなステントの分解可能な実施形態は、通常、身体内に短期間、一時的に存在するのみである（例えば、最長１週間、最長２週間、最長３週間、または最長１か月）。袖部付きの心臓血管ステントは、通常、設置されると均一な断面直径を有するのに対して、開示されている、袖部付きの、洞または鼻のステント、および特に開示されている洞ステントは、通常、設置されると不均一な断面直径を有することが多い。袖部付きの心臓血管ステントは、通常、袖部の表面全体に亘ってすぐ近くの組織に接触し、袖部に依存して血管漏出を防止することが多い。副鼻腔もしくは鼻腔の不均一な断面直径、および副鼻腔もしくは鼻腔内の陥凹の有病率により、開示されている、袖部付きの、洞または鼻のステントは、通常、袖部表面全体に亘って粘膜組織に接触しない。また、開示されている、袖部付きの、洞または鼻のステントでは、とりわけそれらは、通常、加圧流体流に暴露されないので、漏出が大した問題ではない。開示されている、袖部付きの、洞または鼻のステントでは、相当な多孔性またはさらには複数の可視開口部を有する「漏れ易い」袖部構造が、通常、欠点ではなく利点を示す。漏れ易い袖部構造は周囲組織との接触を制限することができ、傷付いた組織、感染した組織、炎症を起こした組織、もしくは外科的に修復された組織の通常の状態への回復を可能にする可能性があるか、またはいくつかの実施形態ではそれを促進する可能性がある。通常の状態へのそのような回復は、炎症反応のモジュレーション、食作用、粘膜再構築、リシリエーション、または通常機能の他の完全なもしくは部分的な修復などの１つまたは複数の治癒機構により起こる可能性がある。袖部付きの心臓血管ステントは袖部に依存して、長期間の組織内部成長を防止する。開示されている、袖部付きの、洞または鼻のステントのいくつかの実施形態が、組織内部成長を阻止する構造または被覆を含み得る。そのような構造または被覆が採用されていない場合にも、開示されているステントに関する、かつ特にそのようなステントの生分解性実施形態に関する、副鼻腔もしくは鼻腔内での典型的な短い存在時間は、すぐ近くの組織にステント内へ成長するための時間があまりないことを意味する。開示されている、洞または鼻のステント内の袖部は、すぐ近くの繊毛による自然な律動的な繊毛運動（すなわち繊毛拍動）、およびすぐ近くの繊毛のない組織表面領域のリシリエーションを可能にするかまたは少なくとも阻止しないことが望ましい。袖部付きの心臓血管ステントは、通常、周囲組織にかなりの圧力をかけるように設計されている。そのような圧力の行使は、篩骨ステントにおいて（欠点である可能性はあっても）あまり問題ではなく、前頭洞ステントまたは上顎洞ステントでは、薬剤溶出ステント内で良好な組織接触を確実にするのに必要とされる圧力を越えて、全く必要とされない可能性がある。さらに、開示されている、洞または鼻のステントは、通常、血管組織ではなく粘膜組織（例えば、繊毛粘膜組織）に接触し、それにより、心臓血管ステントの場合に比べて、異なる設置環境、様々なすぐ近くの自然防御、および様々な分解誘発条件を有する。
【００１９】
[0037]図２から図４まではそれぞれステント２００の斜視図を示し、基礎ステント２１０が、略管状のジグザグ構造と、略管状の抑制袖部２２０とを有する。コイルばね輪２４０が基礎ステント２１０に、付加された径方向弾性を与えている。例示的なそのような基礎ステントは、例えば、米国特許第８，５８５，７３１（Ｂ２）号（Ａｂｂａｔｅら）に記載されている。基礎ステント２１０としての使用に適した薬剤溶出ステントが、例えばＩｎｔｅｒｓｅｃｔ  ＥＮＴ，  Ｉｎｃ．から、ＰＲＯＰＥＬ（商標）ステントおよびＰＲＯＰＥＬ  Ｍｉｎｉステントとして、２つの異なる直径で得られてもよい。どちらも、モメタゾンフランカルボン酸エステルを装填されている、生分解性の径方向に膨張可能なポリマーステントであり、どちらも、そのままでまたは機能性内視鏡的副鼻腔手術（「ＦＥＳＳ」）に従って、篩骨洞内へ圧縮形態で送達されるように設計されており、それらが膨張するとすぐにゆっくり分解し、モメタゾンフランカルボン酸エステルをすぐ近くの組織に溶出し、慢性鼻副鼻腔炎などの治療状態を助けることができる。ＰＲＯＰＥＬステントの元のバージョンは、設置のための５．２ｍｍの圧縮直径と、非抑制時の約６０ｍｍの直径とを有する。「ＰＲＯＰＥＬ  Ｍｉｎｉ」バージョンは、それほど広範囲でない手術またはより小さい生体構造の患者において使用され、設置のための４ｍｍの圧縮直径と非抑制時の約４０ｍｍの直径とを有する。両ＰＲＯＰＥＬステントでは、何人かの患者が頭痛を報告している。いくつかの場合には、外科医は、ステントの元のバージョンをＭｉｎｉバージョンと交換することにより、この問題に対処してきており、他の場合には、ステントを尚早に除去しかつそれを交換しないことにより対処してきた。図２から図４までに示されている実施形態は代替的解決策を提供している。例として、元のＰＲＯＰＥＬステントが、６０ｍｍ未満、例えば最大約５５ｍｍ、最大約５０ｍｍ、最大約４５ｍｍ、最大約４０ｍｍ、最大約３０ｍｍ、最大約２０ｍｍ、または最大約１０ｍｍ、の直径を有する袖部２２０と組み合わせられることが可能である。また、ＰＲＯＰＥＬ  Ｍｉｎｉステントが、４０ｍｍ未満、例えば最大約３５ｍｍ、最大約３０ｍｍ、最大約２５ｍｍ、最大約２０ｍｍ、最大約１０ｍｍ、または最大約８ｍｍ、の直径を有する袖部２２０と組み合わせられることが可能である。袖部の直径が減少されると、頭痛が結果として生じる可能性がある傾向が同様に低減され得る。さらに、袖部の直径が減少されると、挿入中のステントの軸方向剛性および挿入し易さは、同様に増大され得る。上顎洞もしくは前頭洞内での移植、または鼻腔内での移植などの、他の基礎ステントまたは他の移植部位が採用された場合、他の袖部寸法が用いられてもよいことを、当業者は認識するであろう。また、小児患者または動物の身体内での設置のために設計されているステントに、他の袖部寸法が用いられてもよいことを、当業者は認識するであろう。
【００２０】
[0038]図５は、ワイヤ５１０、５２０、５３０、５４０と、図５において名前を付けられていない付加的ワイヤとを含む、一連の互いに絡み合ったワイヤから形成されている籠タイプの構造を有する基礎ステント５００の斜視図を示す。ステント５００は、それが径方向に圧縮された後に自然に径方向に膨張可能であるように、弾性を有していてもよく、または比較的非弾性であり、径方向に膨張するように、バルーンもしくは他の内部に挿入された膨張デバイスの使用に依存していてもよい。
【００２１】
[0039]図６は、基礎ステントまたは袖部であり得る物品６００の斜視図を示す。物品６００は、物品６００の膨張を制限する端部輪６１０および６２０を含む。対のワイヤ６３０、６４０と対のワイヤ６５０および６６０（同様に図６において名前を付けられている付加的な対のワイヤロット）とが、端部輪６１０と６２０との間で織り合わされ、前後に通過する。物品６００は、端部輪６１０および６２０を長円形にしながらかつ物品６００の中心長手方向軸に対してそれらを傾斜させながら、端部輪６１０と６２０との間に配置されている平行なワイヤを径方向に圧縮することにより、基部ステントとして使用されてもよい。また、物品６００は、それを、本明細書に記載されている基礎ステントのものなどの基礎ステントを覆って配置することにより、袖部として使用されてもよい。
【００２２】
[0040]図７は、ハブ７５０に結合されている脚部７１０、７２０、７３０および７４０などの脚部を含む、蜘蛛型の基礎ステント７００の斜視図を示す。例示的基礎ステント７００は、米国特許出願公開第２０１１／０１２５０９１（Ａ１）号（Ａｂｂａｔｅ）に記載されている。そのような基礎ステントのモメタゾンフランカルボン酸エステル溶出バージョンが、現在、Ｉｎｔｅｒｓｅｃｔ  ＥＮＴ，  Ｉｎｃ．によるＲＥＳＯＬＶＥ（商標）ステントとして、臨床試験の状態にある。その製造会社によれば、ＲＥＳＯＬＶＥステントは、閉塞した副鼻腔をより良好に拡張させるために、ＰＲＯＰＥＬステントに比べてより大きな径方向強度を有し、より長い期間に亘ってそのステロイドを放出する。また、強化された径方向強度のＲＥＳＯＬＶＥ製品は、不要な頭痛症状を発生させる可能性がある。そのような症状は、基礎ステントの外向きの力および外向きの膨張を制限するように、ＲＥＳＯＬＶＥステントの少なくとも部分を開示されている袖部で取り巻くことにより、軽減されるかまたは取り除かれる。例示的なそのような袖部は図１２に示されており、そこでは、袖部１２２０が、脚部７１０、７２０、７３０および７４０の全長に沿って基礎ステント７００を取り巻いている。別の例示的袖部が図１３に示されており、そこでは、袖部１３２０が、脚部７１０、７２０、７３０および７４０などの脚部の端部１３３０のみを取り巻いている。
【００２３】
[0041]図８は、編まれた、開口メッシュ構造を有する基礎ステント８１０の斜視図を示す。基礎ステント８１０は、例えば、（図８に示されていない）エラストマー性バインダーの溶液中で浸漬被覆されて、弾性袖部を有するステントを設けてもよい。
【００２４】
[0042]図９は、基礎ステント９１０をエラストマー性バインダーの溶液中に浸すこと、および該バインダー溶液が乾燥し、袖部９２０を形成することを可能にすることにより、そのような浸漬被覆法を用いて作製されている袖部付きステント９００の斜視図を示す。
【００２５】
[0043]図１０は、指当て部１０２０と親指押圧部１０３０とを備えた握持部１０１０を含む挿入装置１０００の、部分的に断面図の側面図を示す。親指押圧部１０３０が指当て部１０２０に向かって前進させられた場合、作動装置１０４０およびその先端部１０４５は、挿入装置１０００の遠位端に向かって、送達カニューレ１０５０を通って前進し、ステント１０６０の近位端に当接して力をかけ、ステント１０６０をカニューレ１０５０から外へ押し出し、意図された副鼻腔もしくは鼻腔内へ入れる。本明細書において開示されている挿入装置１０００およびその他の挿入装置の実施形態は、挿入装置内にまたは挿入装置上の被覆内に、着色剤、放射線不透過性充填剤もしくは放射線透過性充填剤または他の添加剤を含んでいてもよく、可視化またはナビゲーションに役に立つ。
【００２６】
[0044]図１１は、指当て部１１２０と親指押圧部１１３０とを備えた円筒部１１１０を含む挿入装置１１００の側面図を示す。送達カニューレ１１５０の遠位端の所の組込みじょうご部１１６０が、袖部付きステント１１７０の径方向に圧縮されたバージョンの送達カニューレ１１５０内への挿入および装填を補助するのに使用されてもよい。親指押圧部１１３０が指当て部１１２０に向かって前進させられた場合、作動装置（図１１に示されていない）が、挿入装置１１００の遠位端に向かって送達カニューレ１１５０を通って前進し、それをカニューレ１１５０から外へ押し出し、意図された副鼻腔もしくは鼻腔内へ入れるように、装填されたステントの近位端に当接して力をかける。
【００２７】
[0045]図１４は、麺棒のような基礎ステント１４１０と袖部１４２０とを有する袖部付きステント１４００の、部分的に断面図の斜視図を示す。基礎ステント１４１０が、長手方向開口部１４３０を有するＣ形横断面を有する、径方向に圧縮可能なかつ径方向に弾性の略管状の部分を含む。基礎ステント１４１０は、袖部１４２０により取り巻かれ、抑制されている。
【００２８】
[0046]図１５は、基礎ステント１５１０と袖部１５２０とを有する、袖部付きステント１５００の端面図を示す。該ステント１５００は、前述されている実施形態のいくつかに関して示されている円形横断面形状ではなく、略長円形の横断面形状を有する。当業者には当然のことながら、開示されているステントは、さらに他の横断面形状を有して作製されてもよい。
【００２９】
[0047]図１６は、その袖部１６２０が、鉗子１６５０を保持している外科医の、手袋をはめられた手１６３０により握持されており、径方向に圧縮された構造に保持されている、ステント１６００の斜視図を示す。鉗子１６５０は、ステント１６００を患者１６７０の左外鼻腔１６６０内へ、そこから鼻腔内へ、所望に応じて、左篩骨洞などの副鼻腔内へ、送達するために使用されてもよい。
【００３０】
[0048]図１７は、その基礎ステント１７１０および袖部１７２０が、案内ワイヤ１７５０上に担持されているバルーン１７４０の膨張により外向きに押圧された、径方向に膨張したステント１７００の斜視図を示す。
【００３１】
[0049]図１８は、篩骨洞１８３０内に設置されている基礎ステント１８１０と袖部１８２０とを有する、袖部付きステント１８００の、鼻腔の上端部から脳に向かって見ている斜視図を示す。袖部１８２０は、袖部１８２０の近位端においてより大きくかつ袖部１８２０の遠位端においてより小さい不均一な断面直径を有する、その縦方向軸に沿って略先細の形状を有する。領域１８４０および１８５０などのより明るい色の領域が、袖部１８２０と隣接した粘膜組織との間の接触領域を示す。領域１８６０および１８７０などのより暗い色の領域が、袖部１８２０がすぐ近くの粘膜組織に接触しない、篩骨洞の凹部または他の拡大された領域を示す。
【００３２】
[0050]開示されている基礎ステントは、手で操作された場合、可撓性であり、曲げられ、可鍛性であり、または弾性であるうちの１つまたは複数であってもよい。いくつかの実施形態では、基礎ステントは、バルーンまたは他の膨張デバイスもしくは器具により与えられる力などの、手でかけられるより大きな力に晒されない限り、可撓性でなく、曲げられない。基礎ステントは様々な材料を使用して作製され得る。例示的なそのような材料は、金属ワイヤ（例えば、ステンレス鋼、チタン、ニチノール、および他の医療的に許容可能な材料または合金）と、適切なキャリパ、剛性、可鍛性、および弾性もしくは非弾性を有する他の天然もしくは合成の（例えば、ポリマー）材料を含む。基礎ステントは適切な薬剤溶出ポリマーで被覆されており、意図された治療部位へ薬剤を送達してもよい。基礎ステントを製造するのに用いられてもよくかつ該基礎ステント上の薬剤溶出被覆をもたらし得る例示的非生分解性ポリマーが、アクリロニトリル・ブタジエン・スチレン（ＡＢＳ）、ポリアクリル酸塩、ポリメタクリル酸（例えば、ポリメチル・メタクリレートもしくはメタクリル酸ブチル）、ナイロン、ポリオレフィン（例えば、ポリエチレンまたはポリプロピレン）、ホスホリルコリン（ＰＣ）、ポリスチレン、ポリカーボネート、非分解性ポリエステル、ポリスルホン、ポリエーテルスルホン、ポリエーテル・ブロック・アミド（例えば、ＡｒｋｅｍａによるＰＥＢＡＸ（商標））、熱可塑性エラストマー（例えば、Ｓａｉｎｔ−Ｇｏｂａｉｎ  Ｐｅｒｆｏｒｍａｎｃｅ  ＰｌａｓｔｉｃｓによるＣ−Ｆｌｅｘ（商標））、フッ素化ポリマー（例えば、ポリテトラフルオロエチレン）、またはシリコーンを含む。基礎ステントを製造するかまたはその上の薬剤溶出被覆を設けるのに使用され得る例示的生分解性ポリマーが、ポリ乳酸（ＰＬＬＡ）、ポリ（乳酸−グリコール酸共重合体）（ＰＬＧＡ）、ポリグリコール酸、ポリ−ε−カプロラクトンなどのポリカプロラクトン（ＰＣＬ）、分解性ポリエステル（例えば、ポリヒドロキシプロピオン酸、ポリヒドロキシ酪酸塩、およびポリヒドロキシバレラート）、ポリ無水物、ポリオルトエステル、分解性ポリカーボネート、分解性ポリアミド、ポリリン酸エステル、ポリホスファゼン、およびポリシアノアクリレートなどの合成ポリマー、ならびに多糖、タンパク質および核酸などの天然ポリマーを含む。例示的多糖は、寒天、アルギン酸塩、カラギーナン、セルロース、キチン、キトサン、コンドロイチン硫酸、デキストラン、ガラクトマンナン、グリコーゲン、ヒアルロン酸、澱粉、先述のもののいずれかの派生物（酸化多糖および塩を含む）、および先述のもののいずれかの混合物を含む。ポリマーは架橋されていないかまたは架橋されている可能性がある。付加的な適切なポリマーが、米国特許出願公開第２００７／００１４８３０（Ａ１）号（Ｔｉｊｓｍａら）および米国特許出願公開第２００７／０１１０７８８（Ａ１）号（Ｈｉｓｓｏｎｇら）に記載されており、それらの開示は参照により本明細書に援用されている。基礎ステントは、基礎ステント内にまたは基礎ステント上の被覆中に、着色剤、放射線不透過性充填剤もしくは放射線透過性充填剤または他の添加剤を含んでいてもよく、可視化またはナビゲーションに役に立つ。
【００３３】
[0051]選択された基礎ステント材料に応じて、基礎ステントは、ワイヤ曲げ、繊維巻回、レーザ切断、電気エッチングもしくは化学エッチング、または射出成形を含む様々な技術を用いて製造されてもよい。薬剤溶出被覆が採用された場合、基礎ステントは浸漬被覆されてもよく、吹付け被覆されてもよく、または薬剤溶出被覆と反応してもよいかもしくはそれに抱合されてもよい。
【００３４】
[0052]開示されている袖部は、手で操作された場合、可撓性であり、曲げられ、可鍛性であり、または弾性であるうちの１つまたは複数であってもよい。いくつかの実施形態では、袖部は、バルーンまたは他の膨張デバイスもしくは膨張器具により与えられる力などの、手でかけられるより大きな力に晒されない限り、可撓性でなく、曲げられない。袖部は、基礎ステントの作製に使用するために前段で列挙された材料を含む様々な材料から作製され得る。袖部は、織られた構造、編まれた構造、もしくは不織の構造を有する織物に組み立てられる繊維状の撚り糸から形成されてもよく、または連続表面もしくは不連続表面を有する薄膜から形成されてもよい。袖部は弾性または非弾性であってもよく、弾性である場合、シリコーンゴムまたはスチレン共重合体（例えば、ＫＲＡＴＯＮ（商標）ゴム）などのエラストマーゴム状物質から作製されていることが望ましい。前述されている通り、袖部は、ＰＬＬＡ、ＰＬＧＡ、ＰＣＬ、ポリエステル、ポリ無水物、ポリオルトエステル、分解性ポリカーボネート、分解性ポリアミド、ポリリン酸エステル、ポリホスファゼン、およびポリシアノアクリレートなどの合成ポリマー、ならびに分解性袖部を作製するのに好適である多糖、タンパク質および核酸などの天然ポリマーを用いて、浸漬被覆により、基礎ステント上に形成されてもよく、前述されている非分解性ポリマーは、非分解性袖部を作製するのに好適である。袖部は、袖部内にまたは該袖部上の被覆中に、着色剤、放射線不透過性充填剤もしくは放射線透過性充填剤または他の添加剤を含んでいてもよく、可視化またはナビゲーションに役に立つ。袖部は、縫合、加熱溶接、同時成形、共押出し、接着および溶剤結合を含む様々な技術を用いて、基礎ステントに取り付けられてもよい。さらなる実施形態では、袖部は、基礎ステントにより袖部上にかけられる外向きの圧力およびそれらの間の任意の関連する摩擦力以外の任意の手段を用いて、基礎ステントに固定される必要はない。
【００３５】
[0053]開示されているステントの薬剤溶出実施形態では、袖部および基礎ステントの一方または両方が、薬剤または他の治療薬で含浸させられ、浸漬被覆され、吹付け被覆され、または抱合されてもよい。例えば、前段で検討されているものに類似した生分解性ポリマーまたは非生分解性ポリマーは、適切な薬剤と混合されて、袖部または基礎ステント上に薬剤溶出性ポリマー被覆を実現する。例示的治療薬が、アンジオテンシン変換酵素（ＡＣＥ）阻害剤；アンジオテンシン受容体遮断薬（ＡＲＢＳ）；抗ヒスタミン剤；コルチコステロイド（例えば、プロピオン酸フルチカゾンなどのフルチカゾン、フランカルボン酸モメタゾンなどのモメタゾン、ベクロメタゾン、トリアムシノロン、フルニソリド、ブデソニド、およびシクレソニド）；非ステロイド性抗炎症薬；キマーゼ阻害剤；シクロオキシゲナーゼ−２（ＣＯＸ−２）阻害剤；充血除去剤（例えば、エフェドリン、レボメタンフェタミン、ナファゾリン、オキシメタゾリン、フェニレフリン、フェニルプロパノールアミン、プロピルヘキセドリン、シネフリン、テトラヒドロゾリン、キシロメタゾリン、偽エフェドリン、およびトラマゾリン）；マトリクス・メタロプロテイナーゼ（ＭＭＰ）阻害剤（例えば、ドキシサイクリン、ＴＩＭＰメタロペプチダーゼ阻害剤１、およびデキサメタゾン）；粘液溶解薬；オピオイド（例えば、メタドン、モルヒネ、トラマドール、およびオキシコドン）；治療的ポリマー（ｔｈｅｒａｐｅｕｔｉｃ  ｐｏｌｙｍｅｒ）、ならびにそれらの組合せを含む。これらのかつ他の薬剤分類および薬剤の付加的な例が、前述のＴｉｊｓｍａらおよびＨｉｓｓｏｎｇらの出願において列挙されている。所望に応じて、様々な状態の治療または防止のための他の治療薬が、鎮痛剤、抗コリン作用薬、抗真菌薬、駆除剤、抗ウィルス薬、生物静力学組成物、化学療法／抗腫瘍薬、繊毛強化剤（例えば、亜鉛またはマグネシウム）、サイトカイン、止血剤（例えば、トロンビン）、免疫抑制剤、核酸、ペプチド、タンパク質、血管収縮剤、ビタミン剤、それらの混合物、および当業者によく知られている付加的な他の治療薬を含めて、使用されてもよい。そのような他の治療薬の有用なリストが、例えば、米国特許出願公開第２００７／０２６４３１０（Ａ１）号（Ｈｉｓｓｏｎｇら）において見つけられる可能性があり、その開示は参照により本明細書に援用されている。選択された治療薬は、通常、身体の他の部分で使用される、心臓血管ステントなどのステント内に時々使用される薬剤とは異なる。例えば、心臓血管ステントは、パクリタキセルおよびラパマイシンなどの、再狭窄または平滑筋の成長を阻止するようになされている抗増殖性薬剤を使用する可能性がある。現在開示されているステントは、抗増殖性薬剤を含む必要がない。いくつかの実施形態では、様々な薬剤のいずれかまたは様々な薬剤装填率のいずれかを含む袖部は基礎ステントから分離して設けられており、適切な袖部が選択され、手術中または手術の直前のどちらかに、現場で基礎ステント組み立てられて、個別調整された薬剤装填率を有する完成したステントを提供する。
【００３６】
[0054]開示されているステントの袖部または他の部分は、液体、ゲル、または可溶性固形物もしくは不溶性固形物の形の被覆を含んでいてもよい。該被覆は、例えば、治癒を増進する薬剤溶出被覆、生物膜の形成または他の感染マーカに抵抗する抗菌性被覆、設置を増進する潤滑被覆、出血を制御する止血被覆、保持を強化する接着被覆、またはリシリエーションを増進する繊毛成長促進被覆であってもよい。該被覆は、例えば、袖部の外面または内面、基礎ステントの外面または内面、またはそれらの任意の組合せ上にあってもよい。被覆は無機または有機であってもよく、有機の場合、架橋されていなくてもよく、架橋可能であるかまたは架橋されていてもよい。例えば、ゲルで被覆された袖部を有するステントが好適な実施形態を示す。
【００３７】
[0055]開示されているステントは径方向に膨張可能であり、また、いくつかの実施形態では、径方向に圧縮可能であり、径方向に弾性であり、または径方向に圧縮可能であると共に径方向に弾性である可能性がある。該ステントは、副鼻腔、そこへ通じる開口部、または鼻腔内に存在するための大きさおよび形状に作製されており、篩骨洞内に存在するための大きさおよび形状に作製されたステントは好適であり、篩骨洞内に存在するための大きさおよび形状に作製された薬剤溶出ステントは特に好適である。自然口内に薬剤溶出ステントを配置することと比較して、篩骨洞内に薬剤溶出ステントを配置することは、洞内での均一な薬剤溶出の可能性、または全ての所望の炎症部位に到達する薬剤溶出の可能性を高め得る中心位置を実現する。粘膜との接触領域の増大がすぐ近くの繊毛組織または他の粘膜組織、例えば袖部と接触している、繊毛のあるもしくは他の粘膜組織内への薬剤吸収の改善を可能にし得る袖部により、薬剤送達の均一性の向上が増進される可能性がある。
【００３８】
[0056]開示されているステントは、ステントの長手方向中心軸に対して垂直に測定される様々な直径または平均直径を有していてもよい。ステントの直径は、例えば、意図された設置部位および患者に応じて変化する。成人のヒトの篩骨洞または上顎洞内で使用するためのステントが、例えば、約６ｃｍ未満、約５ｃｍ未満、約４ｃｍ未満、約３ｃｍ未満、または約２ｃｍ未満の非圧縮直径（例えば、円形横断面または略円形の横断面を有するステントの平均直径、あるいは長円形横断面もしくは他の非円形横断面を有するステントの最小直径または最大直径）を有していてもよい。そのようなステントは、例えば、約１ｃｍ未満、約９ｍｍ未満、約８ｍｍ未満、約７ｍｍ未満、約６ｍｍ未満、約５ｍｍ未満、または約４ｍｍ未満の径方向圧縮直径（例えば、円形または実質的に円形の横断面を有するステントの平均直径、あるいは長円形横断面もしくは他の非円形横断面を有するステントの最小直径または最大直径）を有していてもよい。フレンチ・カテーテル・スケールからの外径を用いて表されると、これらの圧縮直径は、約３０未満、約２６から２８まで未満、約２４未満、約２０から２２まで未満、約１８未満、約１５未満、または約１２未満のフレンチ・ゲージ・サイズ（Ｆｒｅｎｃｈ  Ｇａｕｇｅ  ｓｉｚｅ）におおよそ対応する。同じ直径は、記載されている挿入装置内の中空管状部の内径を記載するのに使用されてもよい。約８ｍｍ（フレンチ２４）未満または約６ｍｍ（フレンチ１８）未満の圧縮ステント直径が好適である。成人のヒトの前頭洞内で使用するためのステントが、例えば、約５ｃｍ未満、約４ｃｍ未満、約３ｃｍ未満、または約２ｃｍ未満の非圧縮直径を有していてもよく、例えば、約１ｃｍ未満、約９ｍｍ未満、約８ｍｍ未満、約７ｍｍ未満、約６ｍｍ未満、約５ｍｍ未満、または約４ｍｍ未満の径方向圧縮直径を有していてもよい。成人のヒトの鼻腔内で使用するためのステントが、例えば、約４ｃｍ未満、約３ｃｍ未満、約２ｃｍ未満、または１ｃｍ未満の非圧縮直径を有していてもよく、例えば、約１ｃｍ未満、約９ｍｍ未満、約８ｍｍ未満、約７ｍｍ未満、約６ｍｍ未満、約５ｍｍ未満、または約４ｍｍ未満の径方向圧縮直径を有していてもよい。当業者には当然のことながら、小児用途または動物用途では、これらの提案された直径の適切な調節が妥当であり得る。
【００３９】
[0057]いくつかの実施形態では、開示されているステントは、所望の副鼻腔もしくは鼻腔内への挿入のための大きさおよび形状に作製されている手持ち式送達カニューレもしくは挿入装置内への挿入およびそこからの送達に適した直径まで圧縮可能である。他の実施形態では、ステントは、案内ワイヤ、もしくは所望の副鼻腔もしくは鼻腔内への挿入のための大きさおよび形状に作製されている他の適切な挿入装置を有する、バルーンまたは他の径方向に膨張可能なデバイスを覆って圧縮形態で供給される。
【００４０】
[0058]開示されているステントは、すぐ近くの粘膜組織との密接を維持するために、それらが膨張するかもしくは膨張させられ得るような大きさに作製されていてもよいか、または、意図されている治療領域内で若干小型であり、そのような密接を維持しないような大きさに作製されていてもよい。いくつかの実施形態では、袖部は、ステントが、袖部表面の全体もしくはさらには大部分に亘って、粘膜組織に接触しないような大きさに作製されている。他の実施形態では、袖部は、ステントが、袖部表面の大部分またはさらには全体に亘って、粘膜組織に接触するような大きさに作製されている。さらなる実施形態では、袖部は、すぐ近くの粘膜組織に当接して、袖部およびステントが外向きの圧力をかけないような、または患者により識別され得るより小さい圧力をかけるような大きさに作製されている。そのような圧力が識別され得る、許容され得る、または頭痛を引き起こし得る範囲は、患者毎に、手術部位毎に、手技毎に、外科医毎に、大きく変化する可能性がある。したがって、様々な患者、手術部位、手技、または外科医に適応するために、開示されている袖部を、様々な直径、例えば２つ、３つ、４つまたはそれより多い数、で提供することが望ましい可能性がある。また、様々な患者、手術部位、手技、または外科医に適応するために、開示されている袖部を、円形横断面、長円形横断面、または円形横断面および長円形横断面の両方で提供することが望ましい可能性がある。いくつかの実施形態では、様々な大きさでの完成したステントの組立てを可能にするために、袖部および基礎ステントの両方が様々な直径で設けられている。いくつかの実施形態では、ステントが設置された時、袖部はピンと張っており、本質的に皺がなく、他の実施形態では、ステントが設置された時、袖部は皺がある可能性があり、または緩い領域を有する可能性がある。いくつかの実施形態では、開示されているステントはそれらの全長に沿って均一な断面直径および形状を有し、他の実施形態では、ステントの長さに沿って、形状または直径が変化する。
【００４１】
[0059]ある好適な実施形態では、基礎ステント、袖部、または基礎ステントおよび袖部の両方は、外科医の親指と対向する指とを用いて手で圧縮され得る。あるさらに好適な実施形態では、基礎ステント、袖部、または基礎ステントおよび袖部の両方は、そのような手での圧縮が終了すると、弛緩し、それらの元の寸法を取り戻すかまたは殆ど取り戻す。あるさらに好適な実施形態では、そのような弛緩後のステント直径が、袖部のない基礎ステントの弛緩後の直径よりかなり小さい（例えば、少なくとも１ｍｍ、少なくとも５ｍｍ、または少なくとも１ｃｍ）。
【００４２】
[0060]開示されているステントは、ステントの長手方向中心軸に沿って測定される様々な長さを有していてもよい。該ステント長は、例えば、意図された設置部位に応じて変化し得る。例として、ＰＲＯＰＥＬステントの元のバージョンは、ステントが約２３ｍｍの公称膨張長さ（通常の設置部位では、設置長さに相当する可能性がある）を有すると言われている。ＰＲＯＰＥＬ  Ｍｉｎｉステントは、約１６ｍｍの公称膨張長さを有すると言われている。篩骨洞内で使用するためのステントが、例えば、約０．１ｃｍから約４ｃｍまでの、例えば約１ｃｍから約３ｃｍまでの、または約１．５ｃｍから約２ｃｍまでの設置長さを有し得る。前頭洞もしくは上顎洞またはそれらへの開口部内で使用するためのステントが様々な長さを有していてもよく、前頭洞もしくは上顎洞への開口部内に配置されているステントが、通常、副鼻腔内自体に配置されているステントに比べてより短い長さを有し得る。前頭洞もしくは上顎洞のステントは、例えば、約０．１ｃｍから約５ｃｍまでの、例えば約１ｃｍから約４ｃｍまでの、または約２ｃｍから約３ｃｍまでの設置長さを有し得る。鼻腔内で使用するためのステントが、例えば、約０．５ｃｍから約６ｃｍまでの、例えば約１ｃｍから約５ｃｍまでの、または約１ｃｍから約４ｃｍまでの設置長さを有していてもよい。設置前のステント長は、通常、設置長さより長く、設置中にステントが径方向に膨張したかまたは径方向に膨張させられた場合、より短くなる可能性がある。当業者には当然のことながら、小児用途または動物用途では、これらの提案された長さの適切な調節が妥当であり得る。
【００４３】
[0061]いくつかの実施形態では、ステント全体は吸収性であり、生分解性であり、患者身体内での１回の挿入のために設計されている。他の実施形態では、袖部、基礎ステント、または袖部および基礎ステントの両方は非吸収性であり、非分解性であり、該非分解性部分は、患者身体内での挿入および後続のそこからの除去ために設計されている。
【００４４】
[0062]ステントは、通常、前述されているもののような挿入装置と共に包装される。挿入装置の部分が、副鼻腔もしくは鼻腔内に挿入するための大きさに作製されており、成人のヒトを治療する例に使用された場合、約１ｃｍから約１８ｃｍまでの、約４ｃｍから約１２ｃｍまでの、または約５ｃｍから約１０ｃｍまでの挿入可能な部分に沿った長さを有していてもよい。いくつかのステントおよび手術部位では、例えば図１６に示されているもののような普通の鉗子が、ステントを設置するのに使用されてもよい。
【００４５】
[0063]圧縮永久歪みを被らない、またはバルーンもしくは他の膨張デバイスにより径方向に膨張させられる基礎ステントおよび袖部を有するステントが、例えば挿入装置の内部でまたはバルーンを覆って、径方向に圧縮された状態で包装され、出荷されてもよい。圧縮永久歪みを被る可能性がある、または自己膨張型であることが望ましい基礎ステントまたは袖部を有するステントが、非圧縮状態で包装され、出荷され、かつ挿入装置内に配置されているか、または手術現場において、鉗子もしくは他の圧縮デバイスを用いて握持されている。基礎ステントと袖部とは、手術現場への出荷前に組み立てられてもよいか、または別々に包装され、そのような現場で組み立てられてもよい。いずれにしても、基礎ステントおよび袖部は、通常、適切な包装（例えば、バイアル、小袋、袋、箱またはトレー）内に封止され、手術現場への出荷前に、（例えば、熱、ガスまたは放射線を使用して）滅菌される。
【００４６】
[0064]本発明は、別段の指示がない限り、全割合および全パーセンテージが重量による、以下の非限定的実施例において示されている。
【実施例１】
【００４７】
基礎ステントの構造
[0065]図１の基礎ステント１１０に類似した基礎ステントが、０．３８ｍｍ直径の３００シリーズ硬ステンレス鋼医療用ワイヤ（Ｍａｌｉｎ  Ｃｏ．、オハイオ州クリーブランド）の長さから手作業で製造された。該ワイヤの端部は、ＵＮＩＴＥＫ（商標）Ｍｏｄｅｌ  １０１溶接機（３Ｍ  Ｕｎｉｔｅｋ、カリフォルニア州モンロビア）を使用して一緒に溶接された。完成した基礎ステントは、３２°の支柱角度、２ｃｍの支柱長さ、７つの山と７つの谷とを有して、直径約３ｃｍであった。
【実施例２】
【００４８】
ポリエチレン袖部の取付け
[0066]図１のステント１００に類似した、袖部付きステントが、実施例１の基礎ステントの周囲のポリエチレン薄膜の内面上に塗布されたＬＯＣＴＩＴＥ（商標）３９７２光硬化接着剤（Ｈｅｎｋｅｌ  Ｃｏｒｐ．、コネチカット州ロッキーヒル）の層を有する、１７．８ｕｍ厚さの低密度ポリエチレン薄膜で、２．２ｃｍ×８ｃｍの矩形片を包むことにより形成された。基礎ステントが径方向に十分に圧縮されて、ポリエチレン薄膜の端部が約１ｃｍ重ねられることが可能であるように、その円周を約７ｃｍまで減少させた。接着剤が、ＤＹＭＡＸ（商標）ＢＬＵＥＷＡＶＥ（商標）２００ＵＶ硬化スポットランプ（Ｄｙｍａｘ  Ｃｏｒｐ．、コネチカット州トリントン）下での１０秒のＵＶ照射を使用して、硬化された。
【実施例３】
【００４９】
被覆配合物
[0067]配合物１。４０重量％の酢酸ビニルを含有しかつ１９０℃／２．１６ｋｇで８ｇ／１０分のメルトインデックスを有するポリ（エチレン−酢酸ビニル共重合体）（ＰＥＶＡ）ビース（Ｓｉｇｍａ−Ａｌｄｒｉｃｈ  Ｃｏ．、ミズーリ州セントルイス）が使用されて、２０ｍｌのテトラヒドロフラン（ＴＨＦ）（Ｓｉｇｍａ−Ａｌｄｒｉｃｈ  Ｃｏ．）中に１ｇのＰＥＶＡを溶解させることにより、５％（ｗ／ｖ）ＰＥＶＡ溶液を用意した。トリアムシノロン・アセトニド（ＴＡ）（Ｓｉｇｍａ−Ａｌｄｒｉｃｈ  Ｃｏ．）の８ｍｇ部分が添加され、該溶液中に溶解させられた。
【００５０】
[0068]配合物２。ＰＥＶＡビースおよび、ゲル浸透クロマトグラフィ（Ｓｉｇｍａ−Ａｌｄｒｉｃｈ  Ｃｏ．）により３３７，０００Ｍｗを有するポリ（メタクリル酸ブチル）（ＰＢＭＡ）粉末が使用されて、２０ｍｌのＴＨＦ中に１ｇのＰＥＶＡと０．５ｇのＰＢＭＡとを溶解させることにより、ＴＨＦ中に５％（ｗ／ｖ）ＰＥＶＡと２．５％（ｗ／ｖ）ＰＢＭＡを含有する溶液を用意した。ＴＡの８ｍｇ部分が、該溶液中に添加され、溶解させられた。
【実施例４】
【００５１】
被覆の塗布
[0069]別個の実施において、配合物１溶液および配合物２の被覆溶液の１ｍＬ部分が、実施例２のステントのポリエチレン袖部上に塗布され、一晩空気乾燥することが可能にされた。該被覆は、４時間、４０℃で、真空下でさらに乾燥させられた。
【実施例５】
【００５２】
径方向力の試験
[0070]実施例２のステントによりかけられる径方向膨張力が、ＭＴＳ  ＱＴｅｓｔ（商標）２５圧縮試験システム（ＭＴＳ  Ｓｙｓｔｅｍｓ、ミネソタ州エデンプレイリー）を使用して測定された。該ステントは２つの平行段間で圧縮された。２つの段間の距離が１ｃｍに達した時に径方向膨張力が記録され、１５．２ｇであることが分かった。
【実施例６】
【００５３】
トリアムシノロン・アセトニドの分析
[0071]ＴＡ試料が４０：６０の水／メタノール溶媒系中で溶解され、１０μｌの試料注入、１ｍ／分の流量、および２５０ｎｍでのＵＶ検出を用いて、Ａｇｉｌｅｎｔ  Ｅｃｌｉｐｓｅ  ＸＤＢ−Ｃ１８  ４．６  Ｘ  １５０ｍｍカラムを備え付けられているＡｇｉｌｅｎｔ  Ｔｅｃｈｎｏｌｏｇｉｅｓ（商標）１２００シリーズ高速液体クロマトグラフィ（ＨＰＬＣ）機器を使用して、分析された。様々な希釈で一連の標準溶液を使用して、標準曲線が確立された。
【実施例７】
【００５４】
薬剤溶出
[0072]薬剤が被覆された実施例２のステントを４０ｍＬのＤＩ水中に浸すことおよび該浸されたステントを３７℃で保温することにより、３７℃の脱イオン（ＤＩ）水において、薬剤溶出調査が実施された。所定の時間で、１ｍＬの上澄み試料が引き出され、ＨＰＬＣを使用して、ＴＡ濃度が測定された。次いで、累積薬物放出が算出された。薬剤が被覆されたステントが三重に評価された。結果は、１週間後、ＴＡの約８０％が、配合物１で被覆されたステントから溶出し、ＴＡの５５％が、配合物２で被覆されたステントから溶出したことを示した。該結果は図１９に示されている。配合物１は、配合物２と比較して、より十分な薬剤「バースト」（ｄｒｕｇ  ｂｕｒｓｔ）効果をもたらした。配合物２は、配合物１に比べて、より一定の、より長続きする可能性のある薬剤投与をもたらした。
【００５５】
[0073]特定の、いくつかの実施形態では好適な実施形態が示され、記載されたが、当業者には当然のことながら、前段で示され、記載されている特定の実施形態が、同じ目的を達成するように計算された様々な代替的なまたは等価の実施形態を持って代えられてもよい。本願は、本明細書において検討されている実施形態の任意のそのような適応形態または変形形態を包含することが意図されている。したがって、本発明は特許請求の範囲およびそれらの同等物によってのみ限定されることが明らかに意図されている。
【００５６】
本願発明は以下の発明の態様を含む。
[第１の態様]  袖部付きで、径方向に膨張可能であり、膨張状態では、副鼻腔もしくは鼻腔内に存在するための大きさおよび形状に作製された通気性がある略管状の構造をもたらし、非膨張状態では、上記腔内への挿入に適した断面直径を有する、ステント。
【００５７】
[第２の態様]  副鼻腔炎の治療において使用するためのステントであって、袖部付きで、径方向に膨張可能であり、膨張状態では、副鼻腔もしくは鼻腔内に存在するための大きさおよび形状に作製された通気性がある略管状の構造をもたらし、非膨張状態では、上記腔内への挿入に適した断面直径を有する、ステント。
【００５８】
[第３の態様]  ａ）患者の体外で握持されるように構成された近位握持部と、
ｂ）遠位中空管状部であって、上記握持部を使用して操作されるように構成され、かつ上記中空管状部の内部に配設されているステントを患者の副鼻腔もしくは鼻腔内に挿入するための大きさに作製されている、遠位中空管状部と、
ｃ）上記中空管状部の内部での非膨張状態では、上記副鼻腔もしくは鼻腔内への挿入に適した断面直径を有して配設され、膨張状態では、上記腔内に存在するための大きさおよび形状に作製された通気性がある略管状の構造をもたらす、袖部付きの、径方向に膨張可能な１つまたは複数のステントと、
ｄ）上記挿入デバイスの内部に配設されており、かつ上記中空管状部から上記腔内へ上記ステントの１つまたは複数を送達するように構成された作動装置と
を含む、洞または鼻のステント挿入デバイス。
【００５９】
[第４の態様]
ａ）
ｉ）患者の体外で握持されるように構成された近位握持部、
ｉｉ）遠位中空管状部であって、上記握持部を使用して操作されるように構成され、かつ上記中空管状部の内部に配設されているステントを患者の副鼻腔もしくは鼻腔内に挿入するための大きさに作製されている、遠位中空管状部、
ｉｉｉ）上記中空管状部の内部での非膨張状態では、上記副鼻腔もしくは鼻腔内への挿入に適した断面直径を有して配設され、膨張状態では、上記腔内に存在するための大きさおよび形状に作製された通気性がある略管状の構造をもたらす、袖部付きの径方向に膨張可能な１つまたは複数のステント、および
ｉｖ）上記挿入装置の内部に配設されており、かつ上記ステントの１つまたは複数を上記中空管状部から上記腔内へ送達するように構成された作動装置
を含む、洞または鼻のステント挿入装置を設けるステップと、
ｂ）上記握持部を操作して、遠位部をステント可能な副鼻腔もしくは鼻腔内へ前進させるステップと、
ｃ）上記作動装置を作動させて、上記ステントの１つまたは複数を上記中空管状部から上記ステント可能な副鼻腔もしくは鼻腔内へ送達するステップと
を含む、洞または鼻の治療のための方法。
【００６０】
[第５の態様]  上記ステントは径方向に膨張可能な内側基礎ステントと、上記基礎ステントの少なくとも部分を取り巻き、抑制している外側スリーブとを含む、請求項１または２に記載のステント、請求項３に記載のデバイス、または請求項４に記載の方法。
【００６１】
[第６の態様]  上記基礎ステントは生分解性である、請求項５に記載のステント、デバイス、または方法。
[第７の態様]  上記袖部は生分解性である、請求項５に記載のステント、デバイス、または方法。
【００６２】
[第８の態様]  上記基礎ステントまたは上記袖部はワイヤを含む、請求項５に記載のステント、デバイス、または方法。
[第９の態様]  上記基礎ステントは、ジグザグ構造に曲げられているワイヤ輪を含む、請求項５に記載のステント、デバイス、または方法。
【００６３】
[第１０の態様]  上記袖部は上記基礎ステントに固定されている、請求項５に記載のステント、デバイス、または方法。
[第１１の態様]  上記袖部は、副鼻腔もしくは鼻腔内への設置後、上記基礎ステントにより引張状態に保持される、請求項５に記載のステント、デバイス、または方法。
【００６４】
[第１２の態様]  上記袖部は、副鼻腔もしくは鼻腔内への設置の前後両方に、上記基礎ステントにより引張状態に保持される、請求項５に記載のステント、デバイス、または方法。
【００６５】
[第１３の態様]  上記ステントおよび上記袖部は長円形の横断面を有する、請求項５に記載のステント、デバイス、または方法。
[第１４の態様]  上記基礎ステントまたは上記袖部は、アクリロニトリル・ブタジエン・スチレン（ＡＢＳ）、ポリアクリル酸塩、ポリメタクリル酸、ナイロン、ポリオレフィン、ホスホリルコリン（ＰＣ）、ポリスチレン、ポリカーボネート、ポリエステル、ポリスルホン、ポリエーテルスルホン、ポリエーテル・ブロック・アミド、熱可塑性エラストマー、フッ素化ポリマー、またはシリコーンを含む、請求項５に記載のステント、デバイス、または方法。
【００６６】
[第１５の態様]  上記基礎ステントまたは上記袖部は、ポリ乳酸（ＰＬＬＡ）、ポリ（乳酸−グリコール酸共重合体）（ＰＬＧＡ）、ポリグリコール酸、ポリカプロラクトン（ＰＣＬ）、分解性ポリエステル、ポリ無水物、ポリオルトエステル、分解性ポリカーボネート、分解性ポリアミド、ポリリン酸エステル、ポリホスファゼン、またはポリシアノアクリレートを含む、請求項５に記載のステント、デバイス、または方法。
【００６７】
[第１６の態様]  上記基礎ステントまたは上記袖部は天然ポリマーを含む、請求項５に記載のステント、デバイス、または方法。
[第１７の態様]  上記基礎ステントまたは上記袖部は多糖を含む、請求項５に記載のステント、デバイス、または方法。
【００６８】
[第１８の態様]  上記基礎ステントは薬剤溶出性である、請求項５に記載のステント、デバイス、または方法。
[第１９の態様]  上記袖部は薬剤溶出性である、請求項５に記載のステント、デバイス、または方法。
【００６９】
[第２０の態様]  上記ステントは不均一な断面直径を有する、請求項５に記載のステント、デバイス、または方法。
[第２１の態様]  上記ステントは生分解性である、請求項１から２０のいずれかに記載のステント、デバイス、または方法。
【００７０】
[第２２の態様]  上記袖部は滑らかな表面を有する、請求項１から２１のいずれかに記載のステント、デバイス、または方法。
[第２３の態様]  上記袖部は無孔表面を有する、請求項１から２２のいずれかに記載のステント、デバイス、または方法。
【００７１】
[第２４の態様]  上記袖部は弾性である、請求項１から２３のいずれかに記載のステント、デバイス、または方法。
[第２５の態様]  上記袖部は不織である、請求項１から２４のいずれかに記載のステント、デバイス、または方法。
【００７２】
[第２６の態様]  上記袖部は連続薄膜を含む、請求項１から２５のいずれかに記載のステント、デバイス、または方法。
[第２７の態様]  上記ステントは径方向に圧縮性であり、径方向に弾性である、請求項１から２６のいずれかに記載のステント、デバイス、または方法。
【００７３】
[第２８の態様]  上記ステントは、径方向に圧縮されたとき、上記ステントが膨張させられておりかつ抑制されていないときと比べて、より小さい直径およびより大きい軸方向長さを有する、請求項１から２７のいずれかに記載のステント、デバイス、または方法。
【００７４】
[第２９の態様]  上記ステントは薬剤溶出性である、請求項１から２８のいずれかに記載のステント、デバイス、または方法。
[第３０の態様]  上記薬剤は、アンジオテンシン変換酵素（ＡＣＥ）阻害剤、アンジオテンシン受容体遮断薬（ＡＲＢ）、抗ヒスタミン剤、コルチコステロイド、非ステロイド性抗炎症薬、キマーゼ阻害剤、シクロオキシゲナーゼ−２（ＣＯＸ−２）阻害剤、充血除去剤、マトリクス・メタロプロテイナーゼ（ＭＭＰ）阻害剤、粘液溶解薬、オピオイド、治療的ポリマー、またはそれらの組合せを含む、請求項２９に記載のステント、デバイス、または方法。
【００７５】
[第３１の態様]  上記薬剤は、ドキシサイクリン、ＴＩＭＰメタロペプチターゼ阻害剤１、またはデキサメタゾンを含む、請求項２９に記載のステント、デバイス、または方法。
【００７６】
[第３２の態様]  上記薬剤はコルチコステロイドを含む、請求項２９に記載のステント、デバイス、または方法。
[第３３の態様]  上記薬剤はフルチカゾンを含む、請求項２９に記載のステント、デバイス、または方法。
【００７７】
[第３４の態様]  上記薬剤はモメタゾンを含む、請求項２９に記載のステント、デバイス、または方法。
[第３５の態様]  上記薬剤はトリアムシノロンを含む、請求項２９に記載のステント、デバイス、または方法。
【００７８】
[第３６の態様]  上記ステントは、袖部を含まないステントと比較して、患者の頭痛の発症を減少させる、請求項１から３５のいずれかに記載のステント、デバイス、または方法。
【００７９】
[第３７の態様]  上記ステントは粘膜組織に接触する、請求項１から３６のいずれかに記載のステント、デバイス、または方法。
[第３８の態様]  上記ステントは篩骨洞内に存在するための大きさに作製されている、請求項１から３７のいずれかに記載のステント、デバイス、または方法。
【００８０】
[第３９の態様]  上記ステントは不均一な断面直径を有する、請求項１から３８のいずれかに記載のステント、デバイス、または方法。
[第４０の態様]  無菌包装状態にある複数の異なる大きさに作製されている袖部をさらに含む、請求項１から３９のいずれかに記載のステント、デバイス、または方法。
【００８１】
[第４１の態様]  無菌包装状態にある複数の袖部をさらに含み、上記袖部には様々な薬剤または様々な薬剤量が装填されている、請求項１から４０のいずれかに記載のステント、デバイス、または方法。
【００８２】
[第４２の態様]  上記ステントは、薬剤が装填された円筒形の生分解性ポリマー袖部により取り巻かれ、抑制されている、径方向に膨張可能な生分解性ポリマー基礎ステントを含む、請求項１から４１のいずれかに記載のステント、デバイス、または方法。
【００８３】
[第４３の態様]  上記基礎ステントは約１６ｍｍから２３ｍｍまでの非抑制直径を有し、上記袖部は約８ｍｍから約２２ｍｍまでの直径を有する、請求項４２に記載のステント、デバイス、または方法。
【００８４】
[第４４の態様]  上記ステントは、中心ハブと複数の脚部とを有する、薬剤が装填された、径方向に膨張可能な、生分解性ポリマーの蜘蛛型の基礎ステントを含み、上記脚部は、円筒形の生分解性ポリマー袖部により少なくとも部分的に取り巻かれ、抑制されている、請求項１から４３のいずれかに記載のステント、デバイス、または方法。
【図１】
2018528808.tif 000003
【図２】
2018528808.tif 000004
【図３】
2018528808.tif 000005
【図４】
2018528808.tif 000006
【図５】
2018528808.tif 000007
【図６】
2018528808.tif 000008
【図７】
2018528808.tif 000009
【図８】
2018528808.tif 000010
【図９】
2018528808.tif 000011
【図１０】
2018528808.tif 000012
【図１１】
2018528808.tif 000013
【図１２】
2018528808.tif 000014
【図１３】
2018528808.tif 000015
【図１４】
2018528808.tif 000016
【図１５】
2018528808.tif 000017
【図１６】
2018528808.tif 000018
【図１７】
2018528808.tif 000019
【図１８】
2018528808.tif 000020
【図１９】
2018528808.tif 000021
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
袖部付きで、径方向に膨張可能であり、膨張状態では、副鼻腔もしくは鼻腔内に存在するための大きさおよび形状に作製された通気性がある略管状の構造をもたらし、非膨張状態では、前記腔内への挿入に適した断面直径を有する、ステント。
【請求項２】
前記ステントは径方向に膨張可能な内側基礎ステントと、前記基礎ステントの少なくとも部分を取り巻き、抑制している外側スリーブとを含む、請求項１に記載のステント。
【請求項３】
前記基礎ステントまたは前記袖部はワイヤを含む、前記請求項のいずれかに記載のステント。
【請求項４】
前記袖部は前記基礎ステントに固定されている、前記請求項のいずれかに記載のステント。
【請求項５】
前記袖部は、副鼻腔もしくは鼻腔内への設置後、前記基礎ステントにより引張状態に保持される、前記請求項のいずれかに記載のステント。
【請求項６】
前記袖部は滑らかな表面を有する、前記請求項のいずれかに記載のステント。
【請求項７】
前記袖部は無孔表面を有する、前記請求項のいずれかに記載のステント。
【請求項８】
前記袖部は不織である、前記請求項のいずれかに記載のステント。
【請求項９】
前記ステントは径方向に圧縮性であり、径方向に弾性である、前記請求項のいずれかに記載のステント。
【請求項１０】
前記ステントは、袖部を含まないステントと比較して、患者の頭痛の発症を減少させる、前記請求項のいずれかに記載のステント。
【国際調査報告】
2018528808.tif 000022
2018528808.tif 000023
2018528808.tif 000024
2018528808.tif 000025